【手続補正書】
【提出日】令和2年5月25日(2020.5.25)
【手続補正１】
【補正対象書類名】明細書
【補正対象項目名】０１０１
【補正方法】変更
【補正の内容】
【０１０１】
本発明のさまざまな実施例について説明した。これら及び他の実施例は、添付の特許請求の範囲の範囲内である。以下、例示的実施形態について述べる。
［１］  光入射角依存性光学帯域を有する波長選択フィルタと、
前記波長選択フィルタに光学的に結合された空間的に変異する微細複製層と、を備える物品であって、
前記空間的に変異する微細複製層は、第１の所定の入射角で前記波長選択フィルタの第１の光学領域に対して光を伝達し、第２の所定の入射角で前記波長選択フィルタの第２の光学領域に対して光を伝達するように構成されている、物品。
［２］  前記空間的に変異する微細複製層は、複数の所定の入射角のうちのそれぞれの所定の入射角で、前記波長選択フィルタの複数の光学領域のうちの各光学領域に光を伝達するように構成されており、
前記複数の光学領域は、前記第１及び第２の光学領域を含み、前記複数の所定の入射角は、前記第１及び第２の所定の入射角を含む、［１］に記載の物品。
［３］  前記複数の所定の入射角のうちの各所定の入射角は、前記波長選択フィルタの前記角度依存性光学帯域を、複数の所定のシフトされた帯域のうちのそれぞれの所定のシフトされた帯域にシフトするように構成されている、［１］に記載の物品。
［４］  前記空間的に変異する微細複製層は、複数の微細複製フィーチャを含み、前記複数の微細複製フィーチャのうちの各微細複製フィーチャは、前記それぞれの所定の入射角でそれぞれの光学領域に光を伝達する、［２］又は［３］に記載の物品。
［５］  前記複数の微細複製フィーチャは、複数の下位群をなす微細複製フィーチャを含み、各下位群をなす微細複製フィーチャは、前記それぞれの所定の入射角で前記それぞれの光学領域に光を伝達する、［４］に記載の物品。
［６］  前記複数の微細複製フィーチャのうちの各それぞれの微細複製フィーチャは、前記それぞれの微細複製フィーチャによって前記波長選択フィルタの前記それぞれの光学領域に伝達される光の前記光入射角を決定する光曲げ角度を規定する、［１］〜［５］のいずれか一項に記載の物品。
［７］  前記複数の微細複製フィーチャのうちの各微細複製フィーチャは、プリズム、角度制限素子、又はコリメーション素子、のうちの１つ以上を含む、［１］〜［６］のいずれか一項に記載の物品。
［８］  前記波長選択フィルタにおいて、少なくとも一つのシフトされない領域が、前記空間的に変異する微細複製層を透過しない光を受信するように構成される、［１］〜［７］のいずれか一項に記載の物品。
［９］  前記微細複製層は、前記入射角を実質的に変化させることなく、光を前記波長選択フィルムに伝達するように構成された平坦化領域を含む、［１］〜［８］のいずれか一項に記載の物品。
［１０］  前記波長選択フィルタは、多層光学フィルムを含む、［１］〜［９］のいずれか一項に記載の物品。
［１１］  前記多層光学フィルムは、干渉フィルムを含む、［１０］に記載の物品。
［１２］  前記複数の光学領域は、少なくとも１つの反射領域を含む、［１］〜［１１］のいずれか一項に記載の物品。
［１３］  前記複数の光学領域は、少なくとも１つの透過領域を含む、［１］〜［１２］のいずれか一項に記載の物品。
［１４］  前記波長選択フィルタに光学的に結合された光センサを更に備え、前記光センサは複数の感知素子を含み、前記複数の感知素子のうちの各感知素子は、前記波長選択フィルムの前記複数の光学領域のうちの少なくとも１つの光学領域からの光を感知するように構成されている、［１］〜［１３］のいずれか一項に記載の物品。
［１５］  前記複数の感知素子のうちの少なくとも１つの感知素子は、前記少なくとも１つの光学領域から反射された光を感知するように構成されている、［１４］に記載の物品。
［１６］  前記複数の感知素子のうちの少なくとも１つの感知素子は、前記少なくとも１つの光学領域を透過した光を感知するように構成されている、［１４］に記載の物品。
［１７］  前記光学帯域は、反射帯域、透過帯域、狭帯域、広帯域、可視帯域、近赤外線帯域、通過帯域、又は阻止帯域のうちの１つ以上を含む、［１］〜［１６］のいずれか一項に記載の物品。
［１８］  第１の光入射角で第１の帯域端を有する波長選択フィルタと、
前記波長選択フィルタに光学的に結合された空間的に変異する微細複製層と、を備える物品であって、
前記空間的に変異する微細複製層は、複数の微細複製フィーチャを含み、前記複数の微細複製フィーチャのうちの少なくとも１つの微細複製フィーチャは、前記第１の光入射角で光を前記波長選択フィルタの第１領域に伝達するように構成されている、物品。
［１９］  前記複数の微細複製フィーチャは、複数の下位群をなす微細複製フィーチャを含み、前記下位群をなす微細複製フィーチャのうちの少なくとも第１の下位群は、前記少なくとも１つの微細複製フィーチャを含み、前記第１の下位群をなす微細複製フィーチャのうちの各微細複製フィーチャは、前記第１の光入射角で前記波長選択フィルタの前記第１の領域に光を伝達するように構成されている、［１８］に記載の物品。
［２０］  前記波長選択フィルタは、第２の光入射角で第２の帯域端を有し、前記複数の微細複製フィーチャは、前記下位群をなす微細複製フィーチャのうちの少なくとも第２の下位群を含み、前記第２の下位群をなす微細複製フィーチャのうちの各微細複製フィーチャは、前記第２の光入射角で前記波長選択フィルムの第２の領域に光を伝達するように構成されている、［１８］又は［１９］に記載の物品。
［２１］  前記波長選択フィルタは、エッジフィルタ、ノッチフィルタ、又はくし形フィルタのうちの１つ以上を含む、［１８］〜［２０］のいずれか一項に記載の物品。
［２２］  前記波長選択フィルタは、偏光フィルタ又は非偏光フィルタを含む、［１８］〜［２１］のいずれか一項に記載の物品。
［２３］  試料を光源により照明して特徴的な光を得ることと、
前記特徴的な光を、波長選択フィルタに光学的に結合された空間的に変異する微細複製層に通過させて、複数の入射角のうちのそれぞれの入射角で前記波長選択フィルタの複数の領域のうちの各領域に、フィルタリングされた特徴的な光を伝達することであって、各それぞれの入射角は、複数の狭帯域のうちの既知の狭帯域と関連付けられている、ことと、
複数のセンサ素子のうちのそれぞれのセンサ素子において、前記波長選択フィルタの各それぞれの領域によって伝達された前記フィルタリングされた特徴的な光のそれぞれの強度を感知することと、
前記複数のセンサ素子によって感知された前記フィルタリングされた特徴的なスペクトルを、種に関連付けられた既知の基準スペクトルと、前記既知の基準スペクトルに対して各感知されたそれぞれの強度を曲線あてはめすることによって比較することであって、前記曲線あてはめは、各々感知されたそれぞれの強度を、前記フィルタリングされた特徴的な光のそれぞれの強度を伝達したそれぞれの領域と関連付けられるそれぞれの狭帯域と関連付けられた、それぞれの予想される強度とマッチングさせることを含む、ことと、
前記比較に基づいて前記試料中の前記種の存在を判定することと、を含む、技法。
［２４］  試料を広帯域光源により照明して特徴的な光を得ることと、
前記特徴的な光を光学フィルタに通過させて、複数の所定の角度のうちの各それぞれの所定の角度で、フィルタリングされた特徴的な光を広帯域のセンサに伝達することと、
前記フィルタリングされた特徴的な光の角度空間における累積スペクトルパワー分布を、各それぞれの所定の角度で伝達された前記フィルタリングされた特徴的な光のそれぞれの強度を感知することによって決定することと、
角度空間における前記累積スペクトルパワー分布を波長空間における累積スペクトルパワー分布に、前記光学フィルタの帯域端の角度分散に基づいて変換することと、
前記フィルタリングされた特徴的な光のスペクトルパワー分布を、波長空間における前記累積スペクトルパワー分布の数学的導関数を決定することによって決定することと、
前記スペクトルパワー分布を種の既知の基準スペクトルパワー分布と比較することと、
前記比較に基づいて前記試料中の前記種の存在を判定することと、を含む、技法。
［２５］  光入射角依存性光学帯域を有する波長選択フィルタと、
前記波長選択フィルタに光学的に結合された空間的に変異する屈折構造層と、を備える物品であって、前記空間的に変異する屈折構造層は、第１の所定の入射角で前記波長選択フィルタの第１の光学領域に対して光を伝達し、第２の所定の入射角で前記波長選択フィルタの第２の光学領域に対して光を伝達するように構成されている、物品。
［２６］  前記第１の所定の入射角及び前記第２の所定の入射角のうちの少なくとも１つは超臨界角である、［２５］に記載の物品。
【手続補正２】
【補正対象書類名】特許請求の範囲
【補正対象項目名】全文
【補正方法】変更
【補正の内容】
【特許請求の範囲】
【請求項１】
光入射角依存性光学帯域を有する波長選択フィルタと、
前記波長選択フィルタに光学的に結合された空間的に変異する微細複製層と、を備える物品であって、
前記空間的に変異する微細複製層は、第１の所定の入射角で前記波長選択フィルタの第１の光学領域に対して光を伝達し、第２の所定の入射角で前記波長選択フィルタの第２の光学領域に対して光を伝達するように構成されている、物品。
【請求項２】
前記空間的に変異する微細複製層は、複数の所定の入射角のうちのそれぞれの所定の入射角で、前記波長選択フィルタの複数の光学領域のうちの各光学領域に光を伝達するように構成されており、
前記複数の光学領域は、前記第１及び第２の光学領域を含み、前記複数の所定の入射角は、前記第１及び第２の所定の入射角を含む、請求項１に記載の物品。
【請求項３】
前記複数の所定の入射角のうちの各所定の入射角は、前記波長選択フィルタの前記角度依存性光学帯域を、複数の所定のシフトされた帯域のうちのそれぞれの所定のシフトされた帯域にシフトするように構成されている、請求項１に記載の物品。
【請求項４】
前記空間的に変異する微細複製層は、複数の微細複製フィーチャを含み、前記複数の微細複製フィーチャのうちの各微細複製フィーチャは、前記それぞれの所定の入射角でそれぞれの光学領域に光を伝達する、請求項２又は３に記載の物品。
【請求項５】
前記複数の微細複製フィーチャのうちの各それぞれの微細複製フィーチャは、前記それぞれの微細複製フィーチャによって前記波長選択フィルタの前記それぞれの光学領域に伝達される光の前記光入射角を決定する光曲げ角度を規定する、請求項１〜４のいずれか一項に記載の物品。
【請求項６】
前記波長選択フィルタにおいて、少なくとも一つのシフトされない領域が、前記空間的に変異する微細複製層を透過しない光を受信するように構成される、請求項１〜５のいずれか一項に記載の物品。
【請求項７】
前記微細複製層は、前記入射角を実質的に変化させることなく、光を前記波長選択フィルムに伝達するように構成された平坦化領域を含む、請求項１〜６のいずれか一項に記載の物品。
【請求項８】
前記波長選択フィルタは、多層光学フィルムを含む、請求項１〜７のいずれか一項に記載の物品。
【請求項９】
前記複数の光学領域は、少なくとも１つの反射領域を含む、請求項１〜８のいずれか一項に記載の物品。
【請求項１０】
第１の光入射角で第１の帯域端を有する波長選択フィルタと、
前記波長選択フィルタに光学的に結合された空間的に変異する微細複製層と、を備える物品であって、
前記空間的に変異する微細複製層は、複数の微細複製フィーチャを含み、前記複数の微細複製フィーチャのうちの少なくとも１つの微細複製フィーチャは、前記第１の光入射角で光を前記波長選択フィルタの第１領域に伝達するように構成されている、物品。
【請求項１１】
前記複数の微細複製フィーチャは、複数の下位群をなす微細複製フィーチャを含み、前記下位群をなす微細複製フィーチャのうちの少なくとも第１の下位群は、前記少なくとも１つの微細複製フィーチャを含み、前記第１の下位群をなす微細複製フィーチャのうちの各微細複製フィーチャは、前記第１の光入射角で前記波長選択フィルタの前記第１の領域に光を伝達するように構成されている、請求項１０に記載の物品。
【請求項１２】
前記波長選択フィルタは、第２の光入射角で第２の帯域端を有し、前記複数の微細複製フィーチャは、前記下位群をなす微細複製フィーチャのうちの少なくとも第２の下位群を含み、前記第２の下位群をなす微細複製フィーチャのうちの各微細複製フィーチャは、前記第２の光入射角で前記波長選択フィルムの第２の領域に光を伝達するように構成されている、請求項１０又は１１に記載の物品。
【請求項１３】
試料を光源により照明して特徴的な光を得ることと、
前記特徴的な光を、波長選択フィルタに光学的に結合された空間的に変異する微細複製層に通過させて、複数の入射角のうちのそれぞれの入射角で前記波長選択フィルタの複数の領域のうちの各領域に、フィルタリングされた特徴的な光を伝達することであって、各それぞれの入射角は、複数の狭帯域のうちの既知の狭帯域と関連付けられている、ことと、
複数のセンサ素子のうちのそれぞれのセンサ素子において、前記波長選択フィルタの各それぞれの領域によって伝達された前記フィルタリングされた特徴的な光のそれぞれの強度を感知することと、
前記複数のセンサ素子によって感知された前記フィルタリングされた特徴的なスペクトルを、種に関連付けられた既知の基準スペクトルと、前記既知の基準スペクトルに対して各感知されたそれぞれの強度を曲線あてはめすることによって比較することであって、前記曲線あてはめは、各々感知されたそれぞれの強度を、前記フィルタリングされた特徴的な光のそれぞれの強度を伝達したそれぞれの領域と関連付けられるそれぞれの狭帯域と関連付けられた、それぞれの予想される強度とマッチングさせることを含む、ことと、
前記比較に基づいて前記試料中の前記種の存在を判定することと、を含む、技法。
【請求項１４】
試料を広帯域光源により照明して特徴的な光を得ることと、
前記特徴的な光を光学フィルタに通過させて、複数の所定の角度のうちの各それぞれの所定の角度で、フィルタリングされた特徴的な光を広帯域のセンサに伝達することと、
前記フィルタリングされた特徴的な光の角度空間における累積スペクトルパワー分布を、各それぞれの所定の角度で伝達された前記フィルタリングされた特徴的な光のそれぞれの強度を感知することによって決定することと、
角度空間における前記累積スペクトルパワー分布を波長空間における累積スペクトルパワー分布に、前記光学フィルタの帯域端の角度分散に基づいて変換することと、
前記フィルタリングされた特徴的な光のスペクトルパワー分布を、波長空間における前記累積スペクトルパワー分布の数学的導関数を決定することによって決定することと、
前記スペクトルパワー分布を種の既知の基準スペクトルパワー分布と比較することと、
前記比較に基づいて前記試料中の前記種の存在を判定することと、を含む、技法。
【請求項１５】
光入射角依存性光学帯域を有する波長選択フィルタと、
前記波長選択フィルタに光学的に結合された空間的に変異する屈折構造層と、を備える物品であって、前記空間的に変異する屈折構造層は、第１の所定の入射角で前記波長選択フィルタの第１の光学領域に対して光を伝達し、第２の所定の入射角で前記波長選択フィルタの第２の光学領域に対して光を伝達するように構成されている、物品。